(57)【要約】【課題】  動メスの上下位置調整の容易化を図る。【解決手段】  前進位置と後退位置との間を往復駆動すると共に復動時に所定の縫い糸を捕捉する弾性変形可能な動メス２１と、動メスを往復移動可能に支持するベース体４１と、ベース体に支持され、動メスの復動時に捕捉された縫い糸を動メスとの協働により切断する弾性変形可能な固定メス３１と、ベース体に支持され、動メスを固定メス側に押圧する弾性変形可能な動メス支持体４２と、を備えた糸切り装置１０において、動メスの上下方向位置を調整可能な動メス位置調整機構５０をベース体に設ける、という構成を採っている。【選択図】図１
2005168563.tif 000002
【特許請求の範囲】
【請求項１】
前進位置と後退位置との間を往復駆動すると共に復動時に所定の縫い糸を捕捉する弾性変形可能な動メスと、
前記動メスを往復移動可能に支持するベース体と、
前記ベース体に支持され、前記動メスの復動時に捕捉された縫い糸を前記動メスとの協働により切断する弾性変形可能な固定メスと、
前記ベース体に支持され、前記動メスを前記固定メス側に押圧する弾性変形可能な動メス支持体と、を備えた糸切り装置において、
前記ベース体に対する動メスの上下方向位置を調整可能な動メス位置調整機構を設けたことを特徴とする糸切り装置。
【請求項２】
前記動メス位置調整機構は、前記固定メスの上下方向位置を調整可能な固定メス位置調整手段と、
前記動メス支持体の上下方向位置を調整可能な支持体位置調整手段とを備えることを特徴とする請求項１記載の糸切り装置。
【請求項３】
前記固定メス位置調整手段と支持体位置調整手段とが一体的に形成されていることを特徴とする請求項２記載の糸切り装置。
【請求項４】
少なくとも前記固定メス位置調整手段又は支持体位置調整手段のいずれか一方は、略水平方向に突設され，前記固定メス又は動メス支持体に圧接させる係合片を備えると共に、当該係合片が前記固定メス又は動メス支持体の上位置と下位置とに付け替え可能となるように設けたことを特徴とする請求項２又は３記載の糸切り装置。
【請求項５】
前記動メス位置調整機構は、前記ベース体に対して位置調整用の長穴に沿って移動可能な調整部材と、前記ベース体に対して前記調整部材を任意の上下方向位置に固定する固定ネジとを備えることを特徴とする請求項１から４のいずれか一項に記載の糸切り装置。
【発明の詳細な説明】
【技術分野】
【０００１】
本発明は、ミシンの糸切りに使用される動メスの上下位置調整可能な糸切り装置に関する。
【背景技術】
【０００２】
従来のミシンの糸切り装置は、往動によりルーパと針板の間に入出可能な動メスと、動メスが捕捉する縫い糸を当該動メスと挟み込んで切断する固定メスと、動メスを固定メス側に押圧する板バネからなる動メス支持体と、動メス及び固定メスを支持するベース体と、動メスに往動動作を付与する揺動アームとを備えている（例えば特許文献１参照）。
上記揺動アームは、ミシンモータからのトルクを任意のタイミングで分岐させて揺動させる伝達機構に連結されている。そして、縫い糸の切断時において、伝達機構から揺動動作が付与される。即ち、揺動アームの一方の揺動動作により動メスは針下位置まで前進し、その際に縫い糸（上糸及びルーパ糸）を捕捉し、揺動アームの他方の揺動動作により、動メスは後退して、縫い糸の捕捉部と固定メスの先端部で縫い糸を挟み込んで切断する。
【特許文献１】実開昭６０−５０９７７号公報
【発明の開示】
【発明が解決しようとする課題】
【０００３】
ところで、動メスは、縫い糸の捕捉の際に、非常に狭い針板とルーパの間に侵入されることから、糸切り装置の組み付け時に、動メスの上下位置調整が必要となる。
また、使用する縫い糸や布地の種類によっては、糸の捕捉不良等を生じるおそれがあり、その際にも動メスの上下位置調整が必要となる。
これらの場合に、上記従来の糸切り装置にあっては、ベース体とミシンのフレームとの間にスペーサを介挿することにより動メスの上下位置調整を行っていた。
しかしながら、ベース体は糸切り装置のほぼ全体の構成を支持していることから、ベース体に位置変動を生じると、その構成全体について位置調整が必要となり、作業が煩雑化するという不都合があった。
また、スペーサを介挿する方法を採るために、上側への移動調整しか行うことができないという不都合があった。
本発明は、動メスの上下位置調整作業の簡易化をその目的とする。
また、動メスの上下双方向への位置調整を可能とすることを、他の目的とする。
【課題を解決するための手段】
【０００４】
請求項１記載の発明は、前進位置と後退位置との間を往復駆動すると共に復動時に所定の縫い糸を捕捉する弾性変形可能な動メスと、動メスを往復移動可能に支持するベース体と、ベース体に支持され、動メスの復動時に捕捉された縫い糸を動メスとの協働により切断する弾性変形可能な固定メスと、ベース体に支持され、動メスを固定メス側に押圧する弾性変形可能な動メス支持体と、を備えた糸切り装置において、動メスの上下方向位置を調整可能な動メス位置調整機構を設ける、という構成を採っている。
【０００５】
上記構成では、ベース体に対する動メスの上下方向位置を変更調整する動メス位置調整機構が設けられていることから、動メスの上下方向位置調整に際してベース体ごと上下方向に移動させる必要がなく、ベース体を固定したままの状態で動メスの上下位置調整が行われる。
【０００６】
請求項２記載の発明は、請求項１記載の発明と同様の構成を備えると共に、動メス位置調整機構は、固定メスの上下方向位置を調整可能な固定メス位置調整手段と、動メス支持体の上下方向位置を調整可能な支持体位置調整手段とを備える、という構成を採っている。
動メスは、動メス支持体により固定メス側に押圧されていることから、結果として、動メスが固定メスと動メス支持体とに挟まれた状態が形成される。従って、固定メス位置調整手段と支持体位置調整手段のそれぞれについて上下位置調整を行うことで、これらに追従して動メスの上下位置調整が間接的に行われると共に、歯圧も任意に調整が可能である。
【０００７】
請求項３記載の発明は、請求項２記載の発明と同様の構成を備えると共に、固定メス位置調整手段と支持体位置調整手段とが一体的に形成されている。
かかる構成により部品点数の低減を図ることができる。また、固定メス位置調整手段と支持体位置調整手段とが一体的であることから、一部材に対する操作により固定メス及び動メス支持体に対する位置調整を行うことができると共に、歯圧を一定のまま動メスの上下位置調整が可能となる。
【０００８】
請求項４記載の発明は、請求項２又は３記載の発明と同様の構成を備えると共に、少なくとも固定メス位置調整手段又は支持体位置調整手段のいずれか一方は、略水平方向に突設され，固定メス又は動メス支持体に圧接させる係合片を備えると共に、当該係合片が固定メス又は動メス支持体の上位置と下位置とに付け替え可能となるように設けられている、という構成を採っている。
【０００９】
上記構成では、少なくとも固定メス位置調整手段又は支持体位置調整手段のいずれか一方が略水平方向に突設された係合片であり、その上方への位置調整の際には、当該係合片が固定メス又は動メス支持体の下位置となるように装着され、下方から係合片を押圧当接させて移動調整が行われる。また、下方への位置調整の際には、当該係合片が固定メス又は動メス支持体の上位置となるように装着し直し、上方から係合片を押圧当接させて移動調整が行われる。
【００１０】
請求項５記載の発明は、請求項１から４のいずれか一項に記載の発明と同様の構成を備えると共に、動メス位置調整機構は、ベース体に対して位置調整用の長穴に沿って移動可能な調整部材と、ベース体に対して調整部材を任意の上下方向位置に固定する固定ネジとを備える、という構成を採っている。
上記構成では、動メスの上下位置調整に際して、長穴に沿って調整部材を移動させることで動メスを上下方向に移動させると共に固定にネジにより任意に位置に固定する。
【発明の効果】
【００１１】
請求項１記載の発明は、ベース体に対する動メスの上下位置調整を行う動メス位置調整機構を備えていることから、ベース体にスペーサを介挿する作業を不要として、当該ベース体を固定したままの状態で動メスの位置調整が可能となる。従って、ベース体全体を移動させてスペーサを介挿する作業を回避することが可能となると共に、ベース体の移動を伴わないので、当該ベース体に保持される全ての構成に対する再度の位置調整を不要とし、飛躍的に作業の煩雑性の低減を図ることが可能となる
【００１２】
請求項２記載の発明は、固定メス位置調整手段と支持体位置調整手段とにより、固定メスと動メス支持体に対する上下位置調整を行うことで間接的に動メスの上下位置調整を行う。動メス単独に対して直接上下位置調整を行うと、固定メスとの離間を生じて切断性能の低下を招くおそれがあるが、固定メスと動メス支持体とに位置調整を行うことで、隙間の発生を回避しつつ上下位置調整も行うことが可能となる。
【００１３】
請求項３記載の発明では、固定メス位置調整手段と支持体位置調整手段とが一体的に形成されていることから部品点数の低減を図り、装置の生産性の向上を図ることが可能となる。
また、固定メス位置調整手段と支持体位置調整手段とが一体的であることから、一部材に対する操作により固定メス及び動メス支持体に対する位置調整を行うことができ、調整作業をより簡易にすることが可能となる。
【００１４】
請求項４記載の発明では、付け替え可能な係合片により上方又は下方から押圧当接させて固定メス又は動メス支持体の上下位置調整を行うことから、従来のようにベース体にスペーサを介挿させる場合と異なり、上方への位置調整しか行えない不都合を改善し、容易に上下双方向への位置調整を行うことが可能となる。
【００１５】
請求項５記載の発明は、動メスの上下位置調整を、長穴に沿って移動可能な調整部材とその固定ネジとを備える動メス位置調整機構により行い、当該位置調整を簡易な構成により実現し、装置構成の簡易化による生産性の向上を図ることが可能となる。
【発明を実施するための最良の形態】
【００１６】
（実施形態の全体構成）
本発明の実施形態たるミシンの糸切り装置１０を図１乃至図５に基づいて説明する。図１は糸切り装置１０の要部を示す斜視図であり、図２は糸切り装置１０の分解斜視図である。
以下の説明において、縫い針の上下動方向をＺ軸方向とし、Ｚ軸方向と直交すると共にミシンのベッド部及びアーム部の長手方向に沿った方向をＸ軸方向とし、Ｘ軸方向とＺ軸方向の双方に直交する方向をＹ軸方向とする。
【００１７】
糸切り装置１０が装備されるミシンは、図示しないアーム部の先端側に上下動可能に設けられた二本の縫い針１（図４参照）と、図示しないベッド部の上面であって縫い針１の直下位置に設けられた針板２と、針板２の下方において揺動動作により上糸Ｎのループを形成すると共にルーパ糸Ｌをループに挿入するルーパ３（図４参照）とを備えている。
【００１８】
一方、糸切り装置１０は、ミシンのベッド部の内部であって上面近傍に配置される。
そして、この糸切り装置１０は、Ｘ軸方向に沿って往復移動を行うと共に復動のほぼ開始時に上糸Ｎ及びルーパ糸Ｌを捕捉する動メス２１と、動メス２１を先端部に保持する棒状の動メス保持部材２２と、捕捉された上糸Ｎ及びルーパ糸Ｌを復動移動する動メス２１とで挟んで切断する固定メス３１と、固定メス３１を先端部に保持する棒状の固定メス保持部材３２と、動メス保持部材２２及び固定メス保持部材３２を介して動メス２１及び固定メス３１をそれぞれＸ軸方向に沿って移動可能に支持するベース体４１と、動メス２１を固定メス３１側に押圧する動メス支持体としての押さえバネ４２と、その先端部が固定メス３１の先端部に圧接して切断後のルーパ糸端部を保持する糸保持バネ４３と、動メス保持部材２２を介して動メス２１に往復駆動力を付与する揺動アーム４４と、ベース体４１に設けられると共に動メス２１のＺ軸方向位置を調整可能な動メス位置調整機構５０とを備えている。
【００１９】
（ベース体）
ベース体４１は、ミシンの図示しないフレームに固定装備される。そして、ベース体４１は、動メス保持部材２２と固定メス保持部材３２が隣接した状態で挿入されるガイド溝４１ａを備えている。このガイド溝４１ａは、ベース体４１がミシンに装備された状態において、Ｘ軸方向に沿うように形成されており、その一方で、動メス保持部材２２と固定メス保持部材３２はいずれも角棒状に形成されている。かかる形状により、動メス保持部材２２と固定メス保持部材３２は、それぞれガイド溝４１ａに沿って自らの長手方向に滑動することにより、いずれもベース体４１に対してＸ軸方向に沿って往復移動することを可能としている。
【００２０】
（動メス及び固定メス）
動メス保持部材２２と固定メス保持部材３２とは、ベース体４１のガイド溝４１ａ内に配設された状態において、その上平面が同一高さとなる。
そして、動メス保持部材２２の一端部における上平面には動メス２１が止めネジ２３及び押さえ板２４により固定装備されている。
その一方で、固定メス保持部材３２の上平面にはスペーサ３４を介して固定メス３１が止めネジ３３により固定装備されている。
そして、動メス２１はその全体的な形状がクランク状に形成されている。このため、動メス保持部材２２と固定メス保持部材３２とが並んでベース体４１に支持された状態において、動メス２１の先端部側が基端部側に比して固定メス３１側に大きくはみ出すようになっている。そして、固定メス３１は、前述したようにスペーサ３４により動メス２１よりも高位置に設けられていることから、動メス２１の先端部側の部分は固定メス３１の下側に潜り込んだ状態となる。
【００２１】
さらに、動メス２１及び固定メス３１について説明する。
動メス２１は、その先端部はＸ軸方向に沿った状態で動メス保持部材２２に保持されている。そして、動メス２１の先端部近傍の位置とそこからやや基端部寄りの位置にそれぞれ返し部２１ａ，２１ｂが設けられており、これらにより、動メス２１の復動時に上糸Ｎとルーパ糸Ｌとをそれぞれ捕捉する。
さらに、動メス２１及び固定メス３１は、可撓性を有する板状部材であり、ぞれぞれＸ−Ｙ平面に沿った状態で各保持部材２２，３２に保持されている。このため、動メス２１及び固定メス３１は、外力を加えると撓みを生じることにより、いずれも、その先端部において、その平板面に垂直なＺ軸方向に沿って位置変化を生じさせることが可能となっている。
【００２２】
（動メス保持部材及び揺動アーム）
動メス保持部材２２は、その長手方向中間位置における上平面に係合用ネジ２５が装備されている。この係合用ネジ２５は、ベース体４１に設けられた上面開口部４１ｂからその上方に露出され、揺動アーム４４の一端部に設けられた長穴４４ａとに係合している。
揺動アーム４４は、段付きネジ４４ｂにより図示しないミシンフレームに揺動可能に支持されており、その他端部側には図示しない揺動動作付与手段と連結されている。この揺動動作付与手段は、例えば、一定方向に揺動アーム４４の揺動力を付与する原位置復帰バネを備えると共に、ミシンの制御手段により任意のタイミングで、ミシンモータにより駆動する下軸からのトルクを揺動駆動力に変換して揺動アーム４４に伝達する伝達機構とを備えている。また、ミシンの制御手段により任意のタイミングで双方向に揺動力を切り替えて発生するアクチュエータであっても良い。
【００２３】
かかる揺動動作付与手段により揺動アーム４４は、通常は、動メス保持部材２２を介して動メス２１を後退位置（針板位置から離間した位置）に維持させると共に、縫い糸切断時には往復揺動を行うことで動メス２１を針板位置に前進させて再び後退させる。なお、揺動アーム４４の先端部は揺動変位を生じ、その一方で動メス保持部材２２は直動動作を行うが、これらの構成は、長穴４４ａとそこに挿入される係合用ネジ２５とで係合しているので、揺動動作は円滑に直動動作に変換される。
【００２４】
（固定メス保持部材）
固定メス保持部材３２は、固定メス３１が装着された先端部と反対側の後端部にそのＸ軸方向移動範囲を規制するストッパ部材３５が設けられている。このストッパ部材３５は、固定メス保持部材３２に比してＹ軸方向両側に張り出されており、且つ、押圧バネ３６により常時動メス２１の前進方向に押圧されている。そして、ストッパ部材３５がＹ軸方向両側に沿って張り出されていることから、動メス２１の前進方向に移動すると、ベース体４１に当接してそれ以上の移動が制限される。また、動メス保持部材２２が後退移動すると、当該動メス保持部材２２の後端部がストッパ部材３５に当接して固定メス保持部材３２を後退方向に移動させる。
つまり、動メス保持部材２２が前進すると、押圧バネ３６に押圧されて固定メス保持部材３２もベース体４１に当接するまで前進移動し、動メス保持部材２２が後退すると、押圧バネ３６に抗して共に後退移動を行う。
【００２５】
かかる構成により、固定メス３１は、動メス２１よりも小さいストロークながらもＸ軸方向に沿って往復移動を行う。これにより、固定メス３１は、縫製時には退避して縫製を行うルーパ３等の動作との干渉を回避し、縫い糸切断時のみ固定メス３１を前進させることで、切断後の被縫製物における上糸Ｎ及びルーパ糸Ｌの残り長さを短くすることを可能としている。
【００２６】
（押さえバネ）
押さえバネ４２は、固定メス保持部材３２の先端部の底面側にその基端部が固定支持され、先端部は固定メス保持部材３２の前進方向側及び上方（固定メス３１側）に向かって延設されている。かかる押さえバネ４２は弾性を備える板バネであり、その先端部が固定バネ３１側に延設されていることにより、固定メス３１の下側において前後往復移動を行う動メス２１を固定メス３１側に常時押圧することとなる。換言すると、動メス２１は、常時、固定メス３１と押さえバネ４２とに挟まれた状態となる。このように動メス２１を固定メス３１側に押圧することで、動メス２１は固定メス３１に対して常時、適当な圧力（歯圧）で隙間なく接した状態を維持することができ、縫い糸の切断時において、各メス２１，３１の隙間に侵入することなく縫い糸を良好に切断することが可能となる。
【００２７】
（糸保持バネ）
糸保持バネ４３、固定メス保持部材３２の先端部の底面側において、押さえバネ４２及び後述する動メス位置調整機構５０の保持ブラケット５２とを介して、その基端部が固定支持され、その先端部は固定メス保持部材３２の前進方向側及び上方（固定メス３１側）に向かって延設されている。かかる糸保持バネ４３は弾性を備える板バネであり、その先端部が固定メス３１の先端部下面に当接している。
かかる糸保持バネ４３は、切断後のルーパ糸Ｌの切断端部を固定メス３１との間で保持するために設けられており、動メス２１と摺接するが、当該動メス２１を固定メス３１との隙間をなくすほどの押圧力では押圧していない。
【００２８】
（動メス位置調整機構）
動メス位置調整機構５０は、固定メス３１と押さえバネ４２を介して動メス２１の先端部のＺ軸方向位置調整を図る調整部材５１と、この調整部材５１を固定ネジ５３により保持する保持ブラケット５２とを備えている。
保持ブラケット５２は、押さえバネ４２を介して固定メス保持部材３２の先端部底面側に装着されている。この保持ブラケット５２は、前述した糸保持バネ４３の装着部５２ａと調整部材５１の装着部５２ｂとを備えている。
そして、装着部５２ｂにはＺ軸方向に沿って並んだ二つのネジ穴が形成されており、二つの固定ネジ５３の締結により調整部材５１が固定される。
【００２９】
調整部材５１は、平板状であり、二つの固定ネジ５３を挿通させて保持ブラケット５２に固定させるための長穴５４が貫通して設けられている。さらに、調整部材５１の長穴５４の長手方向に沿った一端部は、二又に分離されると共に双方とも直角に屈曲形成された係合片５５，５６が設けられている。前述したように二つの固定ネジ５３は、Ｚ軸方向に沿って並んでいることからこれらにより調整部材５１が保持ブラケット５２に装着されると、長穴５４はＺ軸方向に沿った状態となる。一方、垂直に屈曲形成された各係合片５５，５６は、いずれも調整部材５１の上端部に位置すると共にＸ−Ｙ平面にに沿った状態（水平状態）となる。
そして、各固定ネジ５３を緩めた状態において、調整部材５１は、長穴５４に沿ってＺ軸方向移動を行うことができ、任意の位置で各固定ネジ５３を締結することで、Ｚ軸方向の位置調整を行うことが可能となっている。
【００３０】
さらに、係合片５５と係合片５６とは、調整部材５１の装着時にその平板面に高低差を生じるように形成されている。即ち、係合片５５は係合片５６よりも高位置となるように設定されており、調整部材５１を保持ブラケット５２に装着した場合に、係合片５５は固定メス３１と係合して当該固定メス３１のＺ軸方向（上下方向）位置を調整可能な固定メス位置調整手段として機能し、係合片５６は押さえバネ４２と係合して当該固定メス３１のＺ軸方向（上下方向）位置を調整可能な支持体位置調整手段として機能する。また、これら固定メス位置調整手段としての係合片５５と支持体位置調整手段としての係合片５６とは、先述したように平板状の素材を屈曲形成していることから、一部材により一体的に形成されている。
【００３１】
さらに、各係合片５５，５６と固定メス３１、押さえバネ４２との係合状態について図３に基づいて説明する。図３（Ａ）は固定メス３１と押さえバネ４２とを上方に位置調整する際の係合状態を示し、図３（Ｂ）は固定メス３１と押さえバネ４２とを下方に位置調整する際の係合状態を示す。なお、説明の便宜上、固定メス３１と押さえバネ４２の間に挟持される動メス２２の図示は省略する。
固定メス３１と押さえバネ４２とを上方に位置調整する場合には、図３（Ａ）に示すように、各係合片５５，５６をそれぞれ固定メス３１と押さえバネ４２の下方となる位置に配置してから調整部材５１を固定ネジ５３により保持ブラケット５２に装着する。さらに、長穴５４に沿って調整部材５１を適宜上方に移動し、各係合片５５，５６の上面を固定メス３１と押さえバネ４２のそれぞれの下面に当接させつつ上方に押圧移動させ、上方へに位置調整を行い、その後、各固定ネジ５３の締結により位置決定する。
一方、前述したように、動メス２１は、固定メス３１と押さえバネ４２により挟まれた状態にある。従って、固定メス３１と押さえバネ４２とが共に上方に移動されると、動メス２１は自らの弾性により上方に撓み、間接的にその先端部に対する上方への位置調整が行われることになる。
また、両係合片５５，５６により固定メス３１と押さえバネ４２を同時に位置調整するので、歯圧を殆ど変えずに動メス２１の位置調整ができる。
【００３２】
また、固定メス３１と押さえバネ４２とを下方に位置調整する場合には、図３（Ｂ）に示すように、各係合片５５，５６をそれぞれ固定メス３１と押さえバネ４２の上方となる位置に配置してから調整部材５１を固定ネジ５３により保持ブラケット５２に装着する。さらに、長穴５４に沿って調整部材５１を適宜下方に移動し、各係合片５５，５６の下面を固定メス３１と押さえバネ４２のそれぞれの上面に当接させつつ下方に押圧移動させ、下方へに位置調整を行い、その後、各固定ネジ５３の締結により位置決定する。
この場合も、上方への位置調整と同様に、動メス２１は、固定メス３１と押さえバネ４２とが共に下方に移動されると、動メス２１は自らの弾性により下方に撓み、間接的にその先端部に対する下方への位置調整が行われることになる。
また、両係合片５５，５６により固定メス３１と押さえバネ４２を同時に位置調整するので、歯圧を殆ど変えずに動メス２１の位置調整ができる。
【００３３】
（糸切り装置の切断動作）
上記構成からなる糸切り装置１０の縫い糸切断動作を図４及び図５に基づいて説明する。図４は動メス２１が前進状態にある切断動作説明図であり、図５は動メス２１が前進状態から後退した状態にある切断動作説明図である。
動メス２１は縫製時には退避位置にあり、縫製が終了して糸切り操作がミシンの制御手段に入力されると、揺動動作付与手段により揺動アーム４４が原位置復帰バネに抗して揺動動作を行う。これにより、動メス２１が動メス保持部材２２を介して前進移動し、これに伴い、固定メス３１もルーパ３に近接する位置まで前進を行う。動メス２１は、さらに前進し、針板２（図４，図５では図示略）とルーパ３の間に侵入する。これにより、上糸Ｎのループに動メス２１が侵入し、その返し部２１ａの内側にルーパ糸Ｌが入り込み、返し部２１ｂの内側に上糸Ｎが入り込む（図４の状態）。
【００３４】
次いで、揺動動作付与手段により揺動力が付与された状態が解除され、揺動アーム４４は原位置復帰バネに従って逆方向の揺動動作を行う。これにより、動メス２１が動メス保持部材２２を介して後退移動する。これにより、各返し部２１ａ，２１ｂに捕捉された上糸Ｎ及びルーパ糸Ｌは、各返し部２１ａ，２１ｂと固定メス３１の先端部に挟まれて切断される。また、返し部２１ａの配置と糸保持バネ４３の先端形状に応じてルーパ糸Ｌだけが固定メス３１と糸保持バネ４３の間に引き込まれ、その切断端部が保持される。
さらに、動メス保持部材２２の後退に伴い、ストッパ部材３５を介して固定メス保持部材３２が後退方向に押圧されて後退移動を行う。これにより、固定メス３１がルーパ３から離間した退避位置まで後退する（図５の状態）。
【００３５】
（糸切り装置の効果）
上記構成からなる糸切り装置１０にあっては、ベース体４１に対する動メス２１の上下位置調整を行う動メス位置調整機構５０を備えていることから、ベース体４１に対して上下位置調節を行うことを不要とし、調整部材５１に対する操作により、容易に動メス２１の上下位置調整を行うことが可能となる。
また、ベース体４１全体の移動を不要とするため、当該ベース体４１に保持される全ての構成に対する再度の位置調整を不要とし、飛躍的に作業の煩雑性の低減を図ることが可能となる
【００３６】
さらに、動メス位置調整機構５０は、調整部材５１の各係合片５５，５６により、固定メス３１と押さえバネ４２に対する上下位置調整を行うことで間接的に動メス２１の上下位置調整を行うことから、動メス２１に単独で直接上下位置調整を行う場合のように、固定メス３１との離間を生じるような事態を容易に回避してその上下位置調整を行うことが可能となる。
【００３７】
さらに、調整部材５１には、固定メス３１の上下位置調整を行う係合片５５と押さえバネ４２に対する上下位置調整を行う係合片５６とが一体的に形成されていることから、一の操作により、固定メス３１と押さえバネ４２に対する調整を同時に行うことが可能となり、調整作業をより簡易にすることが可能となる。
また、調整部材５１が一体的であることから、部品点数の低減を図り、糸切り装置１０の生産性の向上を図ることが可能となる。
【００３８】
さらに、調整部材５１は、固定ネジ５３により保持ブラケット５２に装着されることから、容易に、各係合片５５，５６を固定メス３１と押さえバネ４２の上位置と下位置とに配置を付け替えることが可能であり、上下双方向への位置調整を容易に行うことが可能となる。
また、調整部材５１は、長穴５４を備え、当該長穴５４に沿って移動させることで動メス２１の上下委位置調整を行うことができることから、より簡易な構成でその位置調整を実現し、装置全体の生産性の向上を図ることが可能となる。
【００３９】
（その他）
なお、上記構成では、調整部材５１の各係合片５５，５６は、固定メス３１又は押さえバネ４２の上面又は下面のいずれか一面側からのみ当接させる構造としたが、各係合片５５，５６を上下に二又形状に分離させて、固定メス３１又は押さえバネ４２に対してそれらの上面と下面の双方から当接する構造としても良い。これにより、上方向への調整と下方向への調整の際に調整部材５１を付け直す必要がなくなり、調整作業のさらなる容易化、迅速化を図ることを可能とする。
また、調整部材５１の各係合片５５，５６は、一体的に形成され、その調整動作は同時に行われる構成となっているが、各係合片５５，５６を別部材として設け、固定メス３１と押さえバネ４２とについて個別に上下位置調整を可能としても良い。かかる構成により、固定メス３１に対する動メス２１の当接圧力（歯圧）を任意に調整することが可能となる。
【図面の簡単な説明】
【００４０】
【図１】発明の実施形態たる糸切り装置の要部を示す斜視図である。
【図２】糸切り装置の分解斜視図である。
【図３】図３（Ａ）は固定メスと押さえバネとを上方に位置調整する際の係合状態を示し、図３（Ｂ）は固定メスと押さえバネとを下方に位置調整する際の係合状態を示す。
【図４】動メスが前進状態にある場合における糸切り装置の切断動作説明図である。
【図５】動メスが前進状態から後退した状態における糸切り装置の切断動作説明図である。
【符号の説明】
【００４１】
１０  糸切り装置
２１  動メス
３１  固定メス
４１  ベース体
４２  押さえバネ（動メス支持体）
５０  動メス位置調整機構
５１  調整部材
５３  固定ネジ
５５  係合片（固定メス位置調整手段）
５６  係合片（支持体位置調整手段）
Ｌ  ルーパ糸
Ｎ  上糸
【図１】
2005168563.tif 000003
【図２】
2005168563.tif 000004
【図３】
2005168563.tif 000005
【図４】
2005168563.tif 000006
【図５】
2005168563.tif 000007